(57)【特許請求の範囲】
【請求項１】
錠箱に固着し同一内周円上に着磁タンブラ収容穴及び外筒側凹部を有した外筒と、
キー挿入孔を有し該外筒の内周面に外周面を接して回動自在に嵌合し且つ回動によって前記着磁タンブラ収容穴または前記外筒側凹部に選択的に一致する内筒側凹部を外周面に凹設した内筒と、
前記着磁タンブラ収容穴に位置し付勢手段によって前記内筒の外周面に摺接する着磁タンブラと、
前記内筒側凹部に位置することによって該着磁タンブラの該内筒側凹部への進入を阻止する一方、前記外筒側凹部へ移動自在な切替用磁石体と、
を具備し、
前記外筒側凹部は、キーの挿脱を行う前記着磁タンブラ収容穴と前記内筒側凹部とが対向する位置から施錠機構に回動操作力が入力される位置までの回転範囲内における該回転の途中となる前記外筒の内周面に形成され、
前記切替用磁石体の内筒中心方向を向く面における磁極と同磁極の磁石を対面に収容したキーを前記キー挿入孔へ挿入し回転させた際に、前記内筒側凹部から磁気反発力で前記外筒側凹部へ前記切替用磁石体を移動させ、前記内筒側凹部に前記着磁タンブラを進入可能とするとともに、
前記着磁タンブラ収容穴、前記着磁タンブラ、前記外筒側凹部、前記内筒側凹部及び前記切替用磁石体を、同一軸上の異なる円周上のそれぞれに複数組配設し、
それぞれの前記切替用磁石体を、異なるキーに設けた磁石の磁気反発力で前記外筒側凹部へ移動することを特徴とする錠装置。
【請求項２】
前記外筒から前記内筒へ進入して該内筒の回転を規制する一方、前記キー挿入孔に挿入したキーによって前記外筒側へ後退してシアラインを前記外筒と前記内筒との境界面に一致させることで前記内筒の回転規制を解除するピンタンブラを、前記キー挿入孔における任意の位置で前記外筒と前記内筒とに亘って複数配設するとともに、該複数のピンタンブラのうちの１つのピンタンブラが、前記キーの前記キー挿入孔への挿入状態確認用とされ、前記キーが最深部まで挿入完了となる対応位置に配設されることを特徴とする請求項１記載の錠装置。
【発明の詳細な説明】
【０００１】
【発明の属する技術分野】
本発明は、着磁タンブラを備えたシリンダ錠に関し、さらに詳しくは、異なる複数のキーを段階的に使用不能にできるコンストラクションキーシステムに用いて好適なシリンダ錠に関する。
【０００２】
【従来の技術】
例えば、シリンダ錠には、ピン状のタンブラーを内蔵するピンタンブラタイプのものがある。この種のシリンダ錠は、錠箱に固着した外筒と、この外筒の内部に回動自在に内設した内筒とを有し、外筒から内筒へピンタンブラを進入させて、内筒の回転を規制する一方、内筒のキー挿入孔に挿入したキーによってピンタンブラを外筒側へ後退させ、ピンタンブラが軸線に略直行する方向に分離移動可能となるライン、所謂シアラインを外筒と内筒との境界面に一致させることで内筒の回転規制を解除し、すなわち施解錠操作を可能とする。
【０００３】
ところで、建築中の建物は、戸締りが可能となった段階で、出入り口扉等に防犯上の対策から錠を取り付け、工事用キーによって戸締りを可能にする必要がある。この錠には、一般的に建物引き渡し後にも使用する正規の錠を代用している。このため、建物引き渡し後においても、工事用キー（コンストラクションキー）の使用が可能なままであると、防犯上好ましくない。
【０００４】
そこで、建物用のシリンダ錠には、工事完了後、正規の合鍵、所謂オーナーキーを一度使用すると、シリンダ錠内に設置したコンストラクション装置が作動し、工事用キーが使用不能となり、正規の合鍵（オーナーキー）のみでしか施解錠が行えなくなる所謂コンストラクションキーシステムが採用されている。
【０００５】
【発明が解決しようとする課題】
しかしながら、コンストラクションキーシステムは、ピンタンブラを用いるシリンダー錠の場合には比較的採用が容易であるが、着磁タンブラを用いるマグネットタイプのシリンダ錠においては機構が複雑となる。このため、従来、マグネットタイプのシリンダ錠にはコンストラクションキーシステムの機能を備えたものは存在しなかった。
また、近年、コンストラクションキーシステムの普及に伴い、工事用キー（一次キー）と、オーナーキー（二次キー）のみの二段階のキー更新のシステムに加え、工事用キー（一次キー）、管理用キー（二次キー）、オーナーキー（三次キー）等のように二つ以上のキーを段階的に使用不能にできる多段的なコンストラクションキーシステムが要望されるようになってきている。
このようなコンストラクションキーシステムの多段化は、マグネットタイプのシリンダ錠ではさらに実現が困難であった。
【０００６】
本発明は上記状況に鑑みてなされたもので、その第一の目的は、コンストラクションキーシステムの採用可能なマグネットタイプのシリンダ錠を提供することにある。また、その第二の目的は、コンストラクションキーシステムの多段化が可能なマグネットタイプのシリンダ錠を提供することにある。
【０００７】
【課題を解決するための手段】
次に、上記の課題を解決するための手段を、実施の形態に対応する図面を参照して説明する。
この発明の請求項１記載の錠装置は、錠箱に固着し同一内周円上に着磁タンブラ収容穴１５及び外筒側凹部１７を有した外筒３と、
キー挿入孔５を有し該外筒３の内周面に外周面を接して回動自在に嵌合し且つ回動によって前記着磁タンブラ収容穴１５または前記外筒側凹部１７に選択的に一致する内筒側凹部１９を外周面に凹設した内筒７と、
前記着磁タンブラ収容穴１５に位置し付勢手段２１によって前記内筒７の外周面に摺接する着磁タンブラ２３と、
前記内筒側凹部１９に位置することによって該着磁タンブラ２３の該内筒側凹部１９への進入を阻止する一方、前記外筒側凹部１７へ移動自在な切替用磁石体３１と、
を具備し、
前記外筒側凹部１７は、キーの挿脱が行われる前記着磁タンブラ収容穴１５と前記内筒側凹部１９とが対向する位置から施錠機構に回動操作力が入力される位置までの回転範囲内における該回転の途中となる前記外筒３の内周面に形成され、
前記切替用磁石体３１の内筒７中心方向を向く面における磁極と同磁極の磁石４５を対面に収容したキー１１を前記キー挿入孔５へ挿入し回転させた際に、前記内筒側凹部１９から磁気反発力で前記外筒側凹部１７へ前記切替用磁石体３１を移動させ、前記内筒側凹部１９に前記着磁タンブラ２３を進入可能とするとともに、
前記着磁タンブラ収容穴１５、前記着磁タンブラ２３、前記外筒側凹部１７、前記内筒側凹部１９及び前記切替用磁石体３１を、同一軸上の異なる円周上のそれぞれに複数組配設し、
それぞれの前記切替用磁石体３１を、異なるキーに設けた磁石の磁気反発力で前記外筒側凹部１７へ移動することを特徴とする。
【０００８】
このシリンダ錠１では、工事用キー４１に、切替用磁石体３１が吸着する磁性体４３を設けておくことで、切替用磁石体３１を内筒側凹部１９に保持させた状態での施解錠が行える一方、磁気反発力を生じさせる磁石４５を設けた合鍵１１を使用することで、切替用磁石体３１を外筒側凹部１７へ移動させることができる。これにより、合鍵１１を使用した後には、着磁タンブラ２３が内筒側凹部１９に進入するようになって、この着磁タンブラ２３を着磁タンブラ収容穴１５へ後退させることのできない工事用キー４１は解錠が不能となる。この結果、マグネチックタンブラタイプのシリンダ錠１においても、工事期間中に使用する工事用キー４１を、合鍵１１の使用後には使用不能にするコンストラクションキーシステムが実現する。
【００１０】
また、この錠装置では、同一軸上の異なる円周上に配設したそれぞれの切替用磁石体３１を、異なるキーに設けた磁石の磁気反発力で外筒側凹部１７へ移動させることで、新たなキーを使用するたびに新たな切替用磁石体３１を外筒側凹部１７へ移動して、それ以前に使用したキーを順次使用不能にして行くことができる。これにより、複数のキーを一次キー（工事用キー）、二次キー（管理用キー）、三次キー（オーナー用キー）のように段階的に使用不能にでき、コンストラクションキーシステムの多段化を可能とすることができる。
【００１１】
請求項２記載の錠装置は、前記外筒３から前記内筒７へ進入して該内筒７の回転を規制する一方、前記キー挿入孔５に挿入したキー１１によって前記外筒３側へ後退してシアラインを前記外筒３と前記内筒７との境界面に一致させることで前記内筒７の回転規制を解除するピンタンブラ９ａ〜９ｆを、前記キー挿入孔５における任意の位置で前記外筒３と前記内筒７とに亘って複数配設するとともに、該複数のピンタンブラのうちの１つのピンタンブラ９ｆが、前記キー１１の前記キー挿入孔５への挿入状態確認用とされ、前記キー１１が最深部まで挿入完了となる対応位置に配設されることを特徴とする。
【００１２】
このシリンダ錠１では、ピンタンブラ９ｆを、キー挿入孔５内に配設したので、キー１１を挿入しなければ当該ピンタンブラ９ｆを後退させて内筒の回動規制を解除することができず、キー１１を挿入することを解錠の条件とすることができる。これにより、鍵違いのパターンから着磁タンブラ２３を配設する場合の組み合わせにおいて、キー１１の差し込み深さを変えることによる施解錠操作を確実に防止することができる。例えば、このピンタンブラ９ｆの配置位置を挿入完了したキー１１の挿入方向最先端部１１ａに対応する位置に配設することで、キー１１を最後まで挿入しなければ当該ピンタンブラ９ｆを後退させて内筒の回動規制を解除することができず、キー１１を最深部まで挿入することを解錠の条件とすることができ、これにより、鍵違いのパターンで、キー挿入孔５の浅部のみに着磁タンブラ２３を配設する場合の組み合わせとしても、キー１１の差し込み深さを変えることによる施解錠操作を確実に防止することが可能となる。
【００１３】
【発明の実施の形態】
以下、本発明に係るシリンダ錠の好適な実施の形態を図面を参照して詳細に説明する。
図１は本発明に係るシリンダ錠のキー挿入方向に直交方向の断面図、図２は図１のシリンダ錠の断面図で（ａ）は（ｂ）のＡ−Ａ断面、（ｂ）は図１のＢ−Ｂ断面を示し、図３は図１のシリンダ錠の断面図で（ａ）は（ｂ）のＣ−Ｃ断面、（ｂ）は図１のＤ−Ｄ断面を示し、図４は磁石体ホルダの断面視を（ａ）、平面視を（ｂ）に示した説明図、図５はキーの平面視を（ａ）、側面視を（ｂ）に示した説明図である。
【００１４】
シリンダ錠１は、扉に内蔵した図示しない錠箱に固着する外筒３を有する。外筒３の内側には、キー挿入孔５を有し外筒３の内周面に外周面を接して回動自在となる内筒７を嵌合している。シリンダ錠１は、本実施の形態では、図２（ｂ）に示すように、外筒３と内筒７との間に亘って複数のピンタンブラ９ａ，９ｂ，９ｃ，９ｄ，９ｅ，９ｆをキー挿入方向に沿って配設している。一方、図５に示すキー１１は、複数の凹部１３を有している。この凹部１３は、それぞれが後述のシアラインを揃えることができるように、所定の深さとなっている。シリンダ錠１は、キー挿入孔５に挿入されることで、凹部１３によってピンタンブラ９ａ〜９ｆのそれぞれを筒部直径方向の所定位置に移動し、ピンタンブラ９ａ〜９ｆが軸線に略直行する方向に分離移動可能となるラインである所謂シアラインを外筒３と内筒７との境界に一致させることで、ピンタンブラ９ａ〜９ｆによる外筒３と内筒７との回転規制を解除する。つまり、施解錠操作が可能となる。
【００１５】
本実施の形態においては、複数のピンタンブラ９ａ〜９ｆのうち、ピンタンブラ９ｆは、キー１１のキー挿入孔５への挿入状態確認用として、挿入完了したキー１１の挿入方向最先端部１１ａに対応する位置で、外筒３と内筒７とに亘って配設している。
【００１６】
キー１１は、その側面に、複数の磁石収容部１４を備えている。この磁石収容部１４のうち、所定のものには磁極が端面となる磁石４５を収容している。本実施の形態において、図５に示したキー１１は、磁石収容部１４の所定のものに磁石を備えた合鍵、所謂オーナーキーとなる。
この他、シリンダ錠１には、図示しない工事用キー、所謂コンストラクションキーが使用可能となる。この工事用キー４１は、図５に示したキー１１と同様の構造を有するが、複数の磁石収容部１４のうち、所定のものに着磁されていない磁性体４３を収容していることがキー１１と異なる。
【００１７】
外筒３は、内周面の周方向である同一内周円上に、複数、本実施の形態では二つの着磁タンブラ収容穴１５と、外筒側凹部１７とを有している。本実施の形態において、外筒側凹部１７は、外筒３の内周面における対向位置となる直径方向の二箇所に、軸線方向に延在する凹溝２２を形成し、この凹溝２２の開口を、図４に示す複数の穴２４ａを穿設した長板状のホルダ２４で覆うことにより構成している。
なお、外筒側凹部１７は、外筒３の側壁を半径方向に貫通する穴を穿設し、この穴の外周面側を閉塞させることによって構成するものであってもよい。
【００１８】
内筒７は、外筒３に対する回動によって着磁タンブラ収容穴１５または外筒側凹部１７に選択的に一致する内筒側凹部１９を有している。そして、複数の着磁タンブラ収容穴１５のうち、鍵違いのパターンにより設定される所定の組み合わせのものには、付勢手段であるコイルバネ２１によって内筒７の外周面に摺接する方向に付勢した着磁タンブラ２３を設けている。これら着磁タンブラ収容穴１５、着磁タンブラ２３、外筒側凹部１７、及び内筒側凹部１９は、図３（ｂ）に示すように、同一軸上の異なる円周上に複数組配設されている。
【００１９】
シリンダ錠１内に設けた複数の着磁タンブラ２３は、磁極が軸方向の端面となる磁石を備えて構成され、コイルバネ２１の付勢力によって着磁タンブラ収容穴１５から内筒側凹部１９に進入し、内筒７の回動を規制する。一方、キー１１の磁石収容部１４の所定のものに着磁タンブラ２３と同極を対面させる磁石４５を収容したキー１１をキー挿入孔５に挿入すると、磁石４５の磁極と着磁タンブラ２３との磁極が同極となって、着磁タンブラ２３がコイルバネ２１の付勢力に抗して内筒側凹部１９から退出して、内筒７の回転規制を解除する。従って、キー１１をキー挿入孔５に挿入することで、ピンタンブラ９ａ〜９ｆ及び着磁タンブラ２３による規制が同時に解除されて、内筒７は、キー１１とともに、外筒３に対して回転可能となる。
【００２０】
また、内筒７に設けた内筒側凹部１９の所定のものには、切替用磁石体３１を収容している。切替用磁石体３１は、略円板状で、板面が磁極となる構成であり、内筒側凹部１９に位置することによって、着磁タンブラ２３の内筒側凹部１９への進入を阻止している。すなわち、切替用磁石体３１を収容した内筒側凹部１９は、着磁タンブラ２３が進入して内筒７の回転を規制することはない。この切替用磁石体３１は、同極の磁石４５を備えたキー１１、本実施の形態ではオーナーキーをキー挿入孔５へ挿入することによって、内筒７の回転の際に、磁気反発力で上記の外筒側凹部１７へ移動するようになっている。なお、この切替用磁石体３１は、内筒側凹部１９に位置している状態で、対応する着磁タンブラ２３の磁極と異なる磁極が対向して配置され、すなわち、内筒側凹部１９の底面側と着磁タンブラ２３の端面の各磁極が同極とされる。
【００２１】
なお、シリンダ錠１は、図２に示すように、キー挿入孔５を挟んでキー挿入側の部分である内筒７の前部に、直径と平行な方向に一対の焼入ピン３２を嵌入している。シリンダ錠１は、この焼入ピン３２を内筒７の前部に埋設しておくことで、内筒７に同心円状の切り込みを入れる破壊に対する信頼性を向上させている。
【００２２】
次に、上記の構成を有するシリンダ錠１の作用を説明する。
図６は図１のシリンダ錠に工事用キーを用いたときの動作説明図、図７は図１のシリンダ錠にオーナーキーを用いたときの動作説明図である。
本動作の説明では、シリンダ錠１に対して、上記の工事用キー４１と、合鍵（オーナーキー）であるキー１１とを使用する場合を例に説明する。
建物等の建築工事中、戸締りが可能となった段階で、例えば玄関開口部には、シリンダ錠１を組み込んだ扉が取り付けられる。
【００２３】
工事期間中の戸締りにおいて、この玄関扉のシリンダ錠１には、図６（ａ）に示す工事用キー４１を使用して施解錠を行う。上記したように、工事用キー４１は、複数の磁石収容部１４のうち、所定のものに着磁されていない磁性体４３を収容している。従って、キー挿入孔５に工事用キー４１を挿入すると、ピンタンブラ９ａ〜９ｆ及び着磁タンブラ２３による規制が解除されて、内筒７は、工事用キー４１とともに、外筒３に対して回転可能となる。この際、切替用磁石体３１は、図６（ｂ）〜（ｃ）に示すように、工事用キー４１の磁性体４３に吸着し、内筒７の内筒側凹部１９に保持されたまま、内筒７とともに回転する。
【００２４】
シリンダ錠１は、工事用キー４１によって内筒７が図中時計回りに９０度回転し、図６（ｃ）に示す位置となることにより、錠箱内の施錠機構に回動操作力を入力し、デッドボルトを扉の木口から進退させて施解錠を行う。施解錠操作の後、工事用キー４１は、図中反時計回りに９０度回転し、図６（ｄ）に示す位置に戻ることで、キー挿入孔５から抜かれる。従って、工事用キー４１を繰り返し使用しても、切替用磁石体３１は内筒７とともに連れ回りし、ピンタンブラ９ａ〜９ｆと、切替用磁石体３１を収容していない他の内筒側凹部１９に進入する着磁タンブラ２３により施解錠が行われる。
【００２５】
一方、建物が完成し、引渡しが行われると、図７（ａ）に示すように、シリンダ錠１に対してオーナーキーであるキー１１が使用される。このキー１１は、上記したように、磁石収容部１４の所定のものに着磁タンブラ２３及び切替用磁石体３１と同極を対面させる磁石４５を収容している。従って、このキー１１を使用し、ピンタンブラ９ａ〜９ｆ及び着磁タンブラ２３による規制を解除して、内筒７を時計回りに回転すると、図７（ｂ）に示す回転位置となったときに、内筒側凹部１９に収容されていた切替用磁石体３１が、磁気反発力によって外筒側凹部１７へ移動する。
【００２６】
シリンダ錠１は、キー１１によって内筒７が図中時計回りに９０度回転し、図７（ｃ）に示す位置となることにより、錠箱内の施錠機構に回動操作力を入力し、デッドボルトを扉の木口から進退させて施解錠を行う。施解錠操作の後、キー１１は、図中反時計回りに９０度回転し、図７（ｄ）に示す位置に戻ることで、キー挿入孔５から抜かれる。この際、切替用磁石体３１が無くなった内筒側凹部１９にはコイルバネ２１の付勢力によって着磁タンブラ２３が進入する。従って、以前に使用していた工事用キー４１によっては内筒側凹部１９へ進入した着磁タンブラ２３を退出させることはできず、この着磁タンブラ２３を磁気反発力によって着磁タンブラ収容穴１５へ退出させる磁石４５を有したキー１１、すなわちオーナーキーのみでしか施解錠が行えなくなる。これにより、コンストラクションキーシステムが実現することになる。
【００２７】
このように、上記のシリンダ錠１によれば、キー１１（オーナーキー）を使用した後には、着磁タンブラ２３が内筒側凹部１９に進入するので、この着磁タンブラ２３を着磁タンブラ収容穴１５へ後退させることのできない工事用キー４１では解錠が不能となる。この結果、マグネチックタンブラタイプのシリンダ錠１において、工事期間中に使用する工事用キー４１を、合鍵であるキー１１の使用後には使用不能にするコンストラクションキーシステムが実現する。
【００２８】
また、上記のシリンダ錠１によれば、同一軸上の異なる円周上に配設したそれぞれの切替用磁石体３１を、異なる複数のキー１１に設けた磁石の磁気反発力で外筒側凹部１７へ移動させることで、新たなキー１１を使用するたびに新たな切替用磁石体３１を外筒側凹部１７へ移動して、それ以前に使用したキー１１を順次使用不能にして行くことができる。これにより、複数のキー１１を一次キーとして工事用キー、二次キーとして管理用キー、三次キーとしてオーナー用キーのように段階的に使用不能にでき、すなわち、工事期間中の施解錠、建物完成後の管理期間中の施解錠、建物所有者のみの施解錠、というコンストラクションキーシステムの多段化を実現することもでき、また、これらの組合せを増やせることから、建築現場毎、戸別毎の管理が確実なものとなる。
【００２９】
なお、本実施の形態では、ピンタンブラ９ｆを、挿入完了したキー１１の挿入方向最先端部１１ａに対応する位置で配設したので、キー１１を最後まで挿入しなければ当該ピンタンブラ９ｆを後退させて内筒７の回動規制を解除することができず、キー１１を最深部まで挿入することを解錠の条件にできる。これにより、鍵違いのパターンから浅部のみに着磁タンブラ２３を配設する場合の組み合わせにおいても、キー１１の差し込み深さを変えることによる施解錠操作を確実に防止することができる。
【００３０】
また、切替用磁石体３１を動作させる磁性体４３または磁石４５は、キー１１，４１における磁石収容部１４の任意の位置、すなわち、キーの長手方向と両側面との任意の位置に設けることができるが、その態様の一つとして、例えば工事用キー４１には各磁石収容部１４に磁性体４３のみを収容し、管理用キーには一方の側面における任意の位置に磁石収容部１４に磁石４５を収容し、オーナーキーには他方の側面または両側面の磁石収容部１４に磁石４５を収容する等の配置パターンを挙げることができる。
【００３１】
さらに、本実施の形態では、ピンタンブラ９ａ〜９ｆを併用したシリンダ錠１の場合を例に説明したが、本発明に係るシリンダ錠は、ピンタンブラ９ａ〜９ｆを設けないマグネチックタンブラタイプの構成としても上記課題を解決できることは言うまでもない。
【００３２】
【発明の効果】
以上説明したように、本発明に係るシリンダ錠によれば、内筒側凹部に切替用磁石体を収容し、この切替用磁石体を、キーに設けた磁石の磁気反発力によって外筒側凹部に移動可能としたので、工事用キーには切替用磁石体が吸着する磁性体を設けておくことで、切替用磁石体を内筒側凹部に保持させた状態での施解錠が行える一方、磁気反発力を生じさせる磁石を設けた合鍵を使用することで、切替用磁石体を外筒側凹部へ移動させることができ、これにより、その後は着磁タンブラが内筒側凹部に進入するようになって、工事用キーでは解錠が不能となる。この結果、マグネチックタンブラタイプのシリンダ錠において、工事期間中に使用する工事用キーを、合鍵の使用後には使用不能にするコンストラクションキーシステムを実現することができる。
【００３３】
また、本発明に係るシリンダ錠によれば、着磁タンブラ収容穴、着磁タンブラ、外筒側凹部、内筒側凹部及び切替用磁石体を、同一軸上の異なる円周上のそれぞれに複数組配設し、それぞれの切替用磁石体を、異なるキーに設けた磁石の磁気反発力で外筒側凹部へ移動するので、新たなキーを使用するたびに新たな切替用磁石体を外筒側凹部へ移動して、以前のキーを順次使用不能にして行くことができ、例えば、一次キーとして工事用キー、二次キーとして管理用キー、三次キーとしてオーナー用キーのように段階的に使用不能にでき、すなわち、工事期間中の施解錠、建物完成後の管理期間中の施解錠、建物所有者のみの施解錠、というコンストラクションキーシステムの多段化を実現することが可能となる。
【００３４】
さらに、本発明に係るシリンダ錠によれば、キーの挿入によって内筒の回転規制を解除するピンタンブラを、キー挿入孔内に配設したので、キーを挿入しなければ当該ピンタンブラを後退させて内筒の回動規制を解除することができず、キーを挿入することを解錠の条件とすることができる。これにより、鍵違いのパターンから着磁タンブラを配設する場合の組み合わせにおいて、キーの差し込み深さを変えることによる施解錠操作を確実に防止することができる。
【図面の簡単な説明】
【図１】本発明に係るシリンダ錠のキー挿入方向に直交方向の断面図である。
【図２】図１のシリンダ錠の断面図で（ａ）は（ｂ）のＡ−Ａ線断面、（ｂ）は図１のＢ−Ｂ線断面を示す。
【図３】図１のシリンダ錠の断面図で（ａ）は（ｂ）のＣ−Ｃ線断面、（ｂ）は図１のＤ−Ｄ線断面を示す。
【図４】磁石体ホルダの断面視を（ａ）、平面視を（ｂ）に示した説明図である。
【図５】キーの平面視を（ａ）、側面視を（ｂ）に示した説明図である。
【図６】図１のシリンダ錠に工事用キーを用いたときの動作説明図である。
【図７】図１のシリンダ錠にオーナーキーを用いたときの動作説明図である。
【符号の説明】
１…シリンダ錠
３…外筒
５…キー挿入孔
７…内筒
９ａ〜９ｆ…ピンタンブラ
１１…キー
１１ａ…挿入方向最先端部
１５…着磁タンブラ収容穴
１７…外筒側凹部
１９…内筒側凹部
２１…付勢手段（コイルバネ）
２３…着磁タンブラ
３１…切替用磁石体
４５…磁石
【図１】
0004138298.tif 000002
【図２】
0004138298.tif 000003
【図３】
0004138298.tif 000004
【図４】
0004138298.tif 000005
【図５】
0004138298.tif 000006
【図６】
0004138298.tif 000007
【図７】
0004138298.tif 000008